(57)【要約】【課題】  インターネットファクシミリ機能において、受信イメージデータがファクシミリ装置の不揮発性メモリーに記憶された後、開封確認メールの送信前に電源断が発生した場合でも、開封確認メールの送信を可能とする。【解決手段】  画像形成装置１において、ジョブ管理部３２は、インターネットファクシミリの受信イメージデータとともに、メール処理部３１により受信された電子メールのメッセージＩＤをファクシミリ装置２４の不揮発性メモリー２４ａに記憶し、開封確認処理部３４は、ファクシミリ装置２４の不揮発性メモリー２４ａに記憶されているメッセージＩＤに対応する電子メールに記述されている開封確認メールの宛先情報を取得し、取得した宛先情報が示す宛先に開封確認メールをメール処理部３１で送信する。【選択図】  図１
2014236396.tif 000002
【特許請求の範囲】
【請求項１】
ファクシミリの受信イメージデータを記憶する不揮発性メモリーを有するファクシミリ装置と、
インターネットファクシミリの電子メールをメールサーバーから受信するメール処理部と、
前記メール処理部により受信された前記電子メールに基づき、インターネットファクシミリの受信イメージデータを生成する画像処理部と、
（ａ）前記インターネットファクシミリの受信イメージデータを前記ファクシミリ装置の前記不揮発性メモリーに記憶し、（ｂ）前記ファクシミリ装置の前記不揮発性メモリー内に記憶されている前記インターネットファクシミリの受信イメージデータに基づく画像の印刷を実行するジョブ管理部と、
前記電子メールの送信元へ開封確認メールを送信する開封確認処理部とを備え、
前記ジョブ管理部は、前記インターネットファクシミリの受信イメージデータとともに、前記メール処理部により受信された前記電子メールのメッセージＩＤを前記ファクシミリ装置の前記不揮発性メモリーに記憶し、
前記開封確認処理部は、前記ファクシミリ装置の前記不揮発性メモリーに記憶されている前記メッセージＩＤに対応する前記電子メールに記述されている前記開封確認メールの宛先情報を取得し、取得した前記宛先情報が示す宛先に前記開封確認メールを前記メール処理部で送信すること、
を特徴とする画像形成装置。
【請求項２】
前記開封確認処理部は、前記ファクシミリ装置の前記不揮発性メモリーに記憶されている前記メッセージＩＤに対応する前記電子メールのヘッダーの一部または全部を前記メールサーバーから前記メール処理部で取得し、取得した前記ヘッダーの一部または全部内に記述されている前記開封確認メールの宛先情報が示す宛先に前記開封確認メールを送信することを特徴とする請求項１記載の画像形成装置。
【請求項３】
前記開封確認処理部は、前記ファクシミリ装置の前記不揮発性メモリーに記憶される前記メッセージＩＤに対応する前記電子メールのヘッダーの一部または全部を前記メッセージＩＤに関連付けて前記不揮発性メモリーに保存し、前記ファクシミリ装置の前記不揮発性メモリーに記憶されている前記メッセージＩＤに対応する前記ヘッダーの一部または全部を前記不揮発性メモリーから読み出し、読み出した前記ヘッダーの一部または全部内に記述されている前記開封確認メールの宛先情報が示す宛先に前記開封確認メールを送信すること、
を特徴とする請求項１記載の画像形成装置。
【請求項４】
不揮発性の大規模データ記憶装置をさらに備え、
前記開封確認処理部は、前記ファクシミリ装置の前記不揮発性メモリーに記憶される前記メッセージＩＤに対応する前記電子メールのヘッダーの一部または全部を前記メッセージＩＤに関連付けて前記大規模データ記憶装置に保存し、前記ファクシミリ装置の前記不揮発性メモリーに記憶されている前記メッセージＩＤに対応する前記ヘッダーの一部または全部を前記大規模データ記憶装置から読み出し、読み出した前記ヘッダーの一部または全部内に記述されている前記開封確認メールの宛先情報が示す宛先に前記開封確認メールを送信すること、
を特徴とする請求項１記載の画像形成装置。
【請求項５】
前記ジョブ管理部は、電源断後の電源復帰時に、前記ファクシミリ装置の前記不揮発性メモリーに記憶されている前記インターネットファクシミリの受信イメージデータに基づく画像の印刷を再開するときに、そのインターネットファクシミリの受信イメージデータの前記メッセージＩＤを前記ファクシミリ装置の前記不揮発性メモリーから読み出し、前記開封確認処理部に提供することを特徴とする請求項１から請求項４のうちのいずれか１項記載の画像形成装置。
【発明の詳細な説明】
【技術分野】
【０００１】
本発明は、画像形成装置に関するものである。
【背景技術】
【０００２】
画像形成装置には、電話回線を使用するファクシミリ機能の他に、コンピューターネットワークを介して送受される電子メールを利用するインターネットファクシミリ機能を有するものがある。
【０００３】
そのようなインターネットファクシミリ機能では、開封確認メールの送信要求を電子メールに記述することで、インターネットファクシミリの宛先に開封確認メールを送信させることができる（例えば特許文献１，２参照）。
【先行技術文献】
【特許文献】
【０００４】
【特許文献１】特開２００９−０４９８８８号公報
【特許文献２】特開２００９−１８８７８６号公報
【発明の概要】
【発明が解決しようとする課題】
【０００５】
上述のインターネットファクシミリ機能で受信された電子メールに基づくイメージデータは、印刷までのイメージデータの保持を保証するために、ファクシミリ機能の受信イメージデータと同様に、ファクシミリ機能の受信イメージデータを記憶する不揮発性メモリーに記憶される。そのとき、ファクシミリ機能では、受信イメージデータのみが不揮発性メモリーに記憶され、同様の記憶方式で、インターネットファクシミリ機能でも、受信イメージデータのみが不揮発性メモリーに記憶される。これにより、受信イメージデータの保持が保証され、画像形成装置の電源断がそのイメージデータに基づく画像の印刷前に発生しても、電源復帰後に、そのイメージデータに基づく画像の印刷を再開することができる。
【０００６】
ファクシミリ機能では、電話回線でのファクシミリデータ受信時に受信成功か否かが送信元で検出可能であるため、送信元が、受信の確認をすることができる。他方、インターネットファクシミリ機能では、開封確認メールで、送信元が、受信の確認をすることができる。
【０００７】
しかしながら、インターネットファクシミリ機能において、受信イメージデータがファクシミリ装置の不揮発性メモリーに記憶された後、開封確認メールの送信前に電源断が発生した場合、開封確認メールの宛先情報が消失してしまうため、開封確認メールを送信することが困難となってしまう。
【０００８】
本発明は、上記の問題に鑑みてなされたものであり、インターネットファクシミリ機能において、受信イメージデータがファクシミリ装置の不揮発性メモリーに記憶された後、開封確認メールの送信前に電源断が発生した場合でも、開封確認メールの送信が可能である画像形成装置を得ることを目的とする。
【課題を解決するための手段】
【０００９】
本発明に係る画像形成装置は、ファクシミリの受信イメージデータを記憶する不揮発性メモリーを有するファクシミリ装置と、インターネットファクシミリの電子メールをメールサーバーから受信するメール処理部と、前記メール処理部により受信された前記電子メールに基づき、インターネットファクシミリの受信イメージデータを生成する画像処理部と、（ａ）前記インターネットファクシミリの受信イメージデータを前記ファクシミリ装置の前記不揮発性メモリーに記憶し、（ｂ）前記ファクシミリ装置の前記不揮発性メモリー内に記憶されている前記インターネットファクシミリの受信イメージデータに基づく画像の印刷を実行するジョブ管理部と、前記電子メールの送信元へ開封確認メールを送信する開封確認処理部とを備える。そして、前記ジョブ管理部は、前記インターネットファクシミリの受信イメージデータとともに、前記メール処理部により受信された前記電子メールのメッセージＩＤを前記ファクシミリ装置の前記不揮発性メモリーに記憶し、前記開封確認処理部は、前記ファクシミリ装置の前記不揮発性メモリーに記憶されている前記メッセージＩＤに対応する前記電子メールに記述されている前記開封確認メールの宛先情報を取得し、取得した前記宛先情報が示す宛先に前記開封確認メールを前記メール処理部で送信する。
【発明の効果】
【００１０】
本発明によれば、インターネットファクシミリ機能において、受信イメージデータがファクシミリ装置の不揮発性メモリーに記憶された後、開封確認メールの送信前に電源断が発生した場合でも、開封確認メールの送信が可能である画像形成装置を得ることができる。
【図面の簡単な説明】
【００１１】
【図１】図１は、本発明の実施の形態１に係る画像形成装置の構成を示すブロック図である。
【図２】図２は、電源断が発生しない場合の、実施の形態１に係る画像形成装置の動作について説明するシーケンス図である。
【図３】図３は、電源断が発生する場合の、実施の形態１に係る画像形成装置の動作について説明するシーケンス図である。
【図４】図４は、本発明の実施の形態２に係る画像形成装置の構成を示すブロック図である。
【図５】図５は、電源断が発生する場合の、実施の形態２に係る画像形成装置の動作について説明するシーケンス図である。
【発明を実施するための形態】
【００１２】
以下、図に基づいて本発明の実施の形態を説明する。
【００１３】
実施の形態１．
【００１４】
図１は、本発明の実施の形態１に係る画像形成装置の構成を示すブロック図である。実施の形態１に係る画像形成装置１は、インターネットファクシミリ機能を有する。
【００１５】
図１に示すように、この画像形成装置１は、操作パネル１１、通信装置２１、印刷装置２２、画像読取装置２３、ファクシミリ装置２４、および演算処理装置２５を備える。
【００１６】
操作パネル１１は、液晶ディスプレイなどの表示装置、およびタッチパネルなどの入力装置を備え、ユーザーに対する操作画面の表示およびユーザー操作の検出を行う。
【００１７】
また、通信装置２１は、ネットワーク２を介して、システム内の他の装置に接続可能であって、所定の通信プロトコルでデータ通信を行う装置である。通信装置２１は、コンピューターネットワークに接続されており、そのコンピューターネットワーク上のメールサーバーと通信可能である。
【００１８】
また、印刷装置２２は、例えば電子写真方式で原稿画像を印刷用紙に印刷する内部デバイスである。印刷装置２２は、元の画像データに対して、ラスタライズ、色変換、スクリーン処理などの所定の画像処理を施して生成された出力画像データに基づき印刷を行う。
【００１９】
また、画像読取装置２３は、原稿から原稿画像を光学的に読み取り、原稿画像の画像データを生成する内部デバイスである。
【００２０】
また、ファクシミリ装置２４は、不揮発性メモリー２４ａを有しており、電話回線を介してファクシミリデータを送受し、受信したファクシミリデータに基づく受信イメージデータを不揮発性メモリー２４ａに記憶する。
【００２１】
画像形成装置１がローコストモデルである場合、不揮発性メモリー２４ａは、ファクシミリ装置２４のオンボートメモリーとされ、画像形成装置１がハイエンドモデルである場合、不揮発性メモリー２４ａは、ファクシミリ装置２４のオンボートメモリーおよびメモリースロット等で接続されたＦＡＸ−ＤＩＭＭ（Dual Inline Memory Module）を含む。
【００２２】
実施の形態１に係る画像形成装置１は、ローコストモデルであり、ハードディスクドライブ、ＳＳＤ（Solid State Drive）などの不揮発性の大規模データ記憶装置を内蔵していない。
【００２３】
また、演算処理装置２５は、ＣＰＵ（Central Processing Unit）、ＲＯＭ（Read Only Memory）、ＲＡＭ（Random Access Memory）などを有するコンピューターであり、ＲＯＭなどに記憶されているプログラムをＲＡＭへロードし、そのプログラムをＣＰＵで実行することにより、各種処理部を実現する。演算処理装置２５では、メール処理部３１、ジョブ管理部３２、画像処理部３３、および開封確認処理部３４が実現される。
【００２４】
メール処理部３１は、ＰＯＰ（Post Office Protocol）３などのプロトコルに従って、通信装置２１を使用して所定のメールサーバーにアクセスし、インターネットファクシミリの電子メールをそのメールサーバーから受信する。
【００２５】
ジョブ管理部３２は、操作パネル１１に対するユーザー操作に基づく印刷要求やコピー要求、ホスト装置４から受信される印刷要求などを受け付けるとともに、インターネットファクシミリ機能の電子メールを受信した場合、その受信イメージデータに基づく印刷ジョブを実行する。
【００２６】
具体的には、ジョブ管理部３２は、（ａ）インターネットファクシミリの受信イメージデータをファクシミリ装置２４の不揮発性メモリー２４ａに記憶し、（ｂ）ファクシミリ装置２４の不揮発性メモリー２４ａ内に記憶されているインターネットファクシミリの受信イメージデータに基づく画像の印刷を実行する。
【００２７】
また、ジョブ管理部３２は、メール処理部３１により受信された電子メールに基づくインターネットファクシミリの受信イメージデータとともに、その電子メールのヘッダーに記述されているメッセージＩＤをファクシミリ装置２４の不揮発性メモリー２４ａに記憶する。
【００２８】
さらに、ジョブ管理部３２は、電源断後の電源復帰時に、ファクシミリ装置２４の不揮発性メモリー２４ａに記憶されているインターネットファクシミリの受信イメージデータに基づく画像の印刷を再開するときに、そのインターネットファクシミリの受信イメージデータに対応するメッセージＩＤをファクシミリ装置２４の不揮発性メモリー２４ａから読み出し、開封確認処理部３４に提供する。
【００２９】
画像処理部３３は、ラスターイメージ処理を行い、メール処理部３１により受信された電子メールに基づき、インターネットファクシミリの受信イメージデータを生成する。
【００３０】
開封確認処理部３４は、インターネットファクシミリの電子メールの送信元へ開封確認メールを送信する。
【００３１】
具体的には、開封確認処理部３４は、ファクシミリ装置２４の不揮発性メモリー２４ａに記憶されているメッセージＩＤに対応する電子メールに記述されている開封確認メールの宛先情報を取得し、取得した宛先情報が示す宛先に開封確認メールをメール処理部３１で送信する。
【００３２】
実施の形態１では、開封確認処理部３４は、ファクシミリ装置２４の不揮発性メモリー２４ａに記憶されているメッセージＩＤに対応する電子メールのヘッダーの一部または全部をメールサーバーからメール処理部２１で取得し、取得したヘッダーの一部または全部内に記述されている開封確認メールの宛先情報が示す宛先に開封確認メールを送信する。
【００３３】
次に、実施の形態１に係る画像形成装置１の動作について説明する。
【００３４】
まず、電源断が発生しない場合の、実施の形態１に係る画像形成装置１の動作について説明する。図２は、電源断が発生しない場合の、実施の形態１に係る画像形成装置１の動作について説明するシーケンス図である。
【００３５】
メール処理部３１は、インターネットファクシミリの電子メールを受信すると（ステップＳ１）、そのインターネットファクシミリの印刷ジョブの実行要求をジョブ管理部３２に出力し（ステップＳ２）、受信した電子メールのデータをＲＡＭに書き込み（ステップＳ３）、その電子メールのメッセージＩＤおよび開封確認メールの宛先情報を含むヘッダーの一部または全部（以下、メール情報という）を開封確認処理部３４に提供する（ステップＳ４）。開封確認処理部３４は、そのメール情報をＲＡＭに記憶する（ステップＳ５）。
【００３６】
一方、ジョブ管理部３２は、印刷ジョブの実行要求を受け付けると、画像処理要求を画像処理部３３に出力する（ステップＳ６）。画像処理部３３は、画像処理要求を受け付けると、ＲＡＭから電子メールのデータを読み出し、そのデータに基づくイメージデータを生成しＲＡＭに記憶し（ステップＳ７）、イメージデータの生成の完了通知をジョブ管理部３２に出力する（ステップＳ８）。
【００３７】
その完了通知を受け付けると、ジョブ管理部３２は、そのイメージデータおよび開封確認処理部３４が記憶したメッセージＩＤをＲＡＭから読み出し、そのイメージデータおよびメッセージＩＤを関連付けてファクシミリ装置２４の不揮発性メモリー２４ａに保存し（ステップＳ９）、不揮発性メモリー２４ａへの保存の完了通知を開封確認処理部３４に出力する（ステップＳ１０）。
【００３８】
その完了通知を受け付けると、開封確認処理部３４は、その完了通知をメール処理部３１に出力する（ステップＳ１１）。その完了通知を受け付けると、メール処理部３１は、不揮発性メモリー２４ａへの保存が完了したイメージデータに基づく印刷を実行させるための印刷実行指令をジョブ管理部３２に出力する（ステップＳ１２）。
【００３９】
その印刷実行指令を受け付けると、ジョブ管理部３２は、印刷装置２２にイメージデータを転送して印刷を実行させる（ステップＳ１３）。
【００４０】
その印刷が完了すると、ジョブ管理部３２は、完了通知を開封確認処理部３４に出力し（ステップＳ１４）、不揮発性メモリー２４ａに記憶されているイメージデータおよびメッセージＩＤを削除する（ステップＳ１５）。その完了通知を受け付けると、開封確認処理部３４は、開封確認メールを生成し、その開封確認メールの送信指示をメール処理部３１に出力する（ステップＳ１６）。このとき、開封確認処理部３４は、印刷が完了した電子メールのメッセージＩＤに対応する開封確認メールの宛先情報をＲＡＭから読み出し、その宛先情報の示す宛先を、送信指示において指定する。そして、メール処理部３１は、その宛先に、開封確認メールを送信する（ステップＳ１７）。具体的には、メール処理部３１は、ＳＭＴＰ（Simple Mail Transfer Protocol）などのプロトコルに従って、通信装置２１を制御してメールサーバーにアクセスし、その宛先を指定した開封確認メールをメールサーバーへ送信する。
【００４１】
メール処理部３１は、開封確認メールの送信が完了すると、完了通知を開封確認処理部３４に出力する（ステップＳ１８）。その完了通知を受け付けると、開封確認処理部３４は、開封確認メールに対応する受信メール（ステップＳ１で受信した電子メール）の削除指示をメール処理部３１に出力する（ステップＳ１９）。その削除指示を受け付けると、メール処理部３１は、その受信メールの削除要求をメールサーバーへ送信し、メールサーバーからその受信メールを削除する（ステップＳ２０）。
【００４２】
一方、インターネットファクシミリの受信イメージデータに基づく画像の印刷が完了する前に画像形成装置１の電源断が発生した場合について説明する。図３は、電源断が発生する場合の、実施の形態１に係る画像形成装置１の動作について説明するシーケンス図である。
【００４３】
この場合、電源断によってＲＡＭに記憶されていたメール情報およびイメージデータは消失している。そして、図３に示すように、電源断（ステップＳ３１）の後、電源復帰すると（ステップＳ３２）、ジョブ管理部３２は、ファクシミリ装置２４の不揮発性メモリー２４ａにイメージデータが残っている場合、そのイメージデータに基づく画像の印刷を再開する（ステップＳ３３）。さらに、ジョブ管理部３２は、ファクシミリ装置２４の不揮発性メモリー２４ａにイメージデータに関連付けて記憶されているメッセージＩＤを読み出す（ステップＳ３４）。
【００４４】
そして、印刷が完了すると、ジョブ管理部３２は、完了通知および読み出したメッセージＩＤを開封確認処理部３４に出力し（ステップＳ３５）、不揮発性メモリー２４ａに記憶されているイメージデータおよびメッセージＩＤを削除する（ステップＳ３６）。
【００４５】
その完了通知およびメッセージＩＤを受け付けると、開封確認処理部３４は、メッセージＩＤを指定したメール情報要求をメール処理部３１に出力する（ステップＳ３７）。そのメール情報要求を受け付けると、メール処理部３１は、そのメッセージＩＤの電子メールのメール情報（開封確認メールの要否および宛先の情報を有するヘッダーの一部または全部）をメールサーバーから取得し（ステップＳ３８）、開封確認処理部３４に提供する（ステップＳ３９）。
【００４６】
そのメール情報を受け付けると、開封確認処理部３４は、開封確認メールを生成し、その開封確認メールの送信指示をメール処理部３１に出力する（ステップＳ４０）。このとき、開封確認処理部３４は、そのメール情報内の開封確認メールの宛先情報の示す宛先を、送信指示において指定する。そして、メール処理部３１は、その宛先に、開封確認メールを送信する（ステップＳ４１）。
【００４７】
メール処理部３１は、開封確認メールの送信が完了すると、完了通知を開封確認処理部３４に出力する（ステップＳ４２）。その完了通知を受け付けると、開封確認処理部３４は、開封確認メールに対応する受信メール（ステップＳ１で受信した電子メール）の削除指示をメール処理部３１に出力する（ステップＳ４３）。その削除指示を受け付けると、メール処理部３１は、その受信メールの削除要求をメールサーバーへ送信し、メールサーバーからその受信メールを削除する（ステップＳ４４）。
【００４８】
以上のように、上記実施の形態１によれば、ジョブ管理部３２は、インターネットファクシミリの受信イメージデータとともに、メール処理部３１により受信された電子メールのメッセージＩＤをファクシミリ装置２４の不揮発性メモリー２４ａに記憶し、開封確認処理部３４は、ファクシミリ装置２４の不揮発性メモリー２４ａに記憶されているメッセージＩＤに対応する電子メールに記述されている開封確認メールの宛先情報を取得し、取得した宛先情報が示す宛先に開封確認メールをメール処理部３１で送信する。
【００４９】
これにより、受信イメージデータに対応するインターネットファクシミリの受信メールのメッセージＩＤをその受信イメージデータに関連付けておき、電源断が発生しても、電源復帰後に、そのメッセージＩＤの電子メールに記述されている開封確認メールの宛先を特定できるので、インターネットファクシミリ機能において、受信イメージデータがファクシミリ装置２４の不揮発性メモリー２４ａに記憶された後、開封確認メールの送信前に電源断が発生した場合でも、開封確認メールの送信が可能である。
【００５０】
実施の形態２．
【００５１】
図４は、本発明の実施の形態２に係る画像形成装置１の構成を示すブロック図である。実施の形態２に係る画像形成装置１は、ハイエンドモデルであり、ハードディスクドライブ、ＳＳＤなどの不揮発性の大規模データ記憶装置４１を内蔵している。
【００５２】
実施の形態２では、演算処理装置２５において、開封確認処理部３４の代わりに、開封確認処理部３４ａが実現される。
【００５３】
開封確認処理部３４ａは、ファクシミリ装置２４の不揮発性メモリー２４ａに記憶されるメッセージＩＤに対応する電子メールのヘッダーの一部または全部をメッセージＩＤに関連付けて大規模データ記憶装置４１に保存し、ファクシミリ装置２４の不揮発性メモリー２４ａに記憶されているメッセージＩＤに対応するヘッダーの一部または全部を大規模データ記憶装置４１から読み出し、読み出したヘッダーの一部または全部内に記述されている開封確認メールの宛先情報が示す宛先に開封確認メールを送信する。
【００５４】
なお、図４に示す画像形成装置１のその他の構成要素については、実施の形態１（図１）のものと同様であるので、その説明を省略する。
【００５５】
次に、実施の形態２における画像形成装置１の動作について説明する。図５は、電源断が発生する場合の、実施の形態２に係る画像形成装置１の動作について説明するシーケンス図である。
【００５６】
実施の形態２では、開封確認処理部３４ａは、メール処理部３１からメール情報を受け付けたときに（ステップＳ４）、そのメール情報を大規模データ記憶装置４１に保存する（ステップＳ５１）。
【００５７】
そして、電源復帰後（ステップＳ３２）、開封確認処理部３４ａは、ジョブ管理部から完了通知およびメッセージＩＤを受け付けたときに（ステップＳ３５）、大規模データ記憶装置４１から、そのメッセージＩＤを含むメール情報を読み出し（ステップＳ５２）、そのメール情報内の開封確認メールの宛先情報を特定する。
【００５８】
なお、図４に示す画像形成装置１のその他の動作については、実施の形態１（図２および図３）のものと同様であるので、その説明を省略する。
【００５９】
以上のように、上記実施の形態２によれば、画像形成装置１が大規模データ記憶装置４１を内蔵している場合には、その大規模データ記憶装置４１を利用することで、メールサーバーからのメール情報の取得（図３におけるステップＳ３７〜Ｓ３９）が不要となる。
【００６０】
なお、上述の各実施の形態は、本発明の好適な例であるが、本発明は、これらに限定されるものではなく、本発明の要旨を逸脱しない範囲において、種々の変形、変更が可能である。
【００６１】
例えば、上記実施の形態１，２において、開封確認処理部３４，３４ａは、電子メールのヘッダーの一部または全部を、大規模データ記憶装置４１ではなく、不揮発性メモリー２４ａに保存し、不揮発性メモリー２４ａからそのヘッダーの一部または全部を読み出し、大規模データ記憶装置４１ではなく、不揮発性メモリー２４ａに保存し、読み出したヘッダーの一部または全部内に記述されている開封確認メールの宛先情報が示す宛先に開封確認メールを送信するようにしてもよい。
【産業上の利用可能性】
【００６２】
本発明は、例えば、インターネットファクシミリ機能を有する画像形成装置に適用可能である。
【符号の説明】
【００６３】
１  画像形成装置
２４  ファクシミリ装置
２４ａ  不揮発性メモリー
３１  メール処理部
３２  ジョブ管理部
３３  画像処理部
３４  開封確認処理部
４１  大規模データ記憶装置
【図１】
2014236396.tif 000003
【図２】
2014236396.tif 000004
【図３】
2014236396.tif 000005
【図４】
2014236396.tif 000006
【図５】
2014236396.tif 000007